(57)【要約】      （修正有）【課題】耐光性に優れた化合物を含有する着色組成物、該着色組成物を含有するインクジェット用インク、捺染方法、及び布帛の提供。【解決手段】式（１）で表される化合物を含有する着色組成物。2017179087.tif 000053（Ｒ１０１〜Ｒ１０３及びＲ１０５は各々独立にＨ、置換/無置換のアルキル基等；Ｒ１０４及びＲ１０６は各々独立に置換／無置換のアリール基等；Ｒ１０７〜Ｒ１０９は各々独立にハロゲン原子、置換/無置換のアルキル基等、アシル基、スルホ基；ｎ１０７〜ｎ１０９は各々独立に０〜４の整数；式（１）の化合物は少なくとも１つのスルホ基及び分子内に対アニオンを有する）【選択図】なし【特許請求の範囲】
【請求項１】
下記一般式（１）で表される化合物を含む着色組成物。
【化１】
2017179087.tif 000051
一般式（１）中、
Ｒ１０１及びＲ１０２は各々独立に水素原子、置換若しくは無置換のアルキル基、置換若しくは無置換のアリール基、又は置換若しくは無置換のヘテロ環基を表す。
Ｒ１０１及びＲ１０２が共に水素原子を表す場合はない。
Ｒ１０１及びＲ１０２は互いに結合して環を形成してもよい。
Ｒ１０３及びＲ１０５は各々独立に水素原子、置換若しくは無置換のアルキル基、置換若しくは無置換のアリール基、又は置換若しくは無置換のヘテロ環基を表す。
Ｒ１０４及びＲ１０６は各々独立に置換若しくは無置換のアリール基、又は置換若しくは無置換のヘテロ環基を表す。
Ｒ１０７、Ｒ１０８及びＲ１０９は各々独立に、ハロゲン原子、置換若しくは無置換のアルキル基、置換若しくは無置換のアリール基、又は置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基を表す。
Ｒ１０７及びＲ１０８は互いに結合して環を形成してもよいが、酸素原子を介して結合する場合はない。
ｎ１０７、ｎ１０８及びｎ１０９は各々独立に、０〜４の整数を表す。
一般式（１）で表される化合物は少なくとも１つのスルホ基を有する。
一般式（１）で表される化合物は分子内に対アニオンを有する。
【請求項２】
前記Ｒ１０４及びＲ１０６は各々独立に置換若しくは無置換のアリール基を表す請求項１に記載の着色組成物。
【請求項３】
前記一般式（１）で表される化合物が下記一般式（２）で表される化合物である請求項１又は２に記載の着色組成物。
【化２】
2017179087.tif 000052
一般式（２）中、Ｒ１０１及びＲ１０２は各々独立に水素原子、置換若しくは無置換のアルキル基、置換若しくは無置換のアリール基、又は置換若しくは無置換のヘテロ環基を表す。
Ｒ１０１及びＲ１０２が共に水素原子を表す場合はない。
Ｒ１０１及びＲ１０２は互いに結合して環を形成してもよい。
Ｒ１０３及びＲ１０５は各々独立に水素原子、置換若しくは無置換のアルキル基、置換若しくは無置換のアリール基、又は置換若しくは無置換のヘテロ環基を表す。
Ｒ１０７、Ｒ１０８及びＲ１０９は各々独立に、ハロゲン原子、置換若しくは無置換のアルキル基、置換若しくは無置換のアリール基、又は置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基を表す。
Ｒ１０７及びＲ１０８は互いに結合して環を形成してもよいが、酸素原子を介して結合する場合はない。
Ｒ５０１、Ｒ５０２、Ｒ５０３、Ｒ５０４、Ｒ５０５、Ｒ５０６、Ｒ５０７、Ｒ５０８、Ｒ５０９、Ｒ５１０は各々独立に水素原子又は置換基を表す。
ｎ１０７、ｎ１０８及びｎ１０９は各々独立に０〜４の整数を表す。
一般式（２）で表される化合物は少なくとも１つのスルホ基を有する。
一般式（２）で表される化合物は分子内に対アニオンを有する。
【請求項４】
前記Ｒ１０１及びＲ１０２の少なくとも一方が、置換若しくは無置換の２級アルキル基又は置換若しくは無置換の３級アルキル基を表す、請求項１〜３のいずれか１項に記載の着色組成物。
【請求項５】
前記Ｒ５０１、Ｒ５０３、Ｒ５０５、Ｒ５０６、Ｒ５０８、及びＲ５１０は各々独立に水素原子、置換若しくは無置換のアルキル基、置換若しくは無置換のアリール基、又は置換若しくは無置換のヘテロ環基を表す、請求項３に記載の着色組成物。
【請求項６】
前記Ｒ５０１、Ｒ５０３、Ｒ５０５、Ｒ５０６、Ｒ５０８、及びＲ５１０は各々独立に置換若しくは無置換のアルキル基、置換若しくは無置換のアリール基を表す、請求項３又は５に記載の着色組成物。
【請求項７】
前記Ｒ５０１、Ｒ５０３、Ｒ５０５、Ｒ５０６、Ｒ５０８、及びＲ５１０は各々独立に置換若しくは無置換のアルキル基を表す、請求項３、５又は６に記載の着色組成物。
【請求項８】
染色用である、請求項１〜７のいずれか１項に記載の着色組成物。
【請求項９】
請求項１〜８のいずれか１項に記載の着色組成物を含有するインクジェット用インク。
【請求項１０】
請求項９に記載のインクジェット用インクを用いて、インクジェット法により布帛を捺染する捺染方法。
【請求項１１】
請求項８に記載の着色組成物によって染色された布帛。
【発明の詳細な説明】
【技術分野】
【０００１】
本発明は、着色組成物、インクジェット用インク、捺染方法、及び染色された布帛に関する。
【背景技術】
【０００２】
従来より、布帛を染色するための染料として、酸性染料、反応染料、直接染料、分散染料等が使用されている。例えば、綿又はビスコースレーヨンなどセルロース繊維を染色する染料としては、反応染料、直接染料、硫化染料、建染染料、ナフトール染料などが知られており、絹、羊毛、ナイロンなどのポリアミド繊維を染色する染料としては、酸性染料、金属錯塩酸性染料、酸性媒染染料、直接染料などが知られている。ポリエステル繊維、セルロースエステル繊維などのエステル繊維は分散染料又は顔料による染色が知られている。また、アクリル繊維は一般にカチオン染料で染色するが、酸性染料で染まる繊維もある。
染料としては様々な色の染料を用いることができるが、特にシアン色としてはトリアリールメタン染料が広く使用されている。
【０００３】
例えば、Ａｃｉｄ  Ｂｌｕｅ  ９（ＡＢ９）として知られるトリアリールメタン染料を用いて布帛を捺染することが記載されている。
【先行技術文献】
【特許文献】
【０００４】
【特許文献１】特開平７−２９２５８１号公報
【発明の概要】
【発明が解決しようとする課題】
【０００５】
しかしながら、ＡＢ９は耐光性の観点で劣るため、更に耐光性に優れる化合物が求められる。
本発明は、耐光性に優れた化合物、上記化合物を含有する着色組成物、上記着色組成物を含有するインクジェット用インク、捺染方法、及び染色された布帛を提供することを目的とする。
【課題を解決するための手段】
【０００６】
本発明者らは鋭意検討し、一般式（１）で表される化合物がＲ１０１及びＲ１０２の少なくとも一方に特定の置換基を導入することにより上記課題を解決できることを見出した。Ｒ１０１及びＲ１０２のいずれか一方もしくは両方に特定の置換基が導入されていると耐光性を向上させることができる理由は詳細には不明であるが、以下のように推定している。すなわち、Ｒ１０１及びＲ１０２のいずれか一方もしくは両方に特定の置換基が導入されていると、Ｒ１０１及びＲ１０２を含むスルファモイル基が嵩高くなる。これにより立体障害が生じ、嵩高い置換基による反発で、一般式（１）で表される化合物同士の分子間相互作用を抑制して、光分解の起点となる励起状態（例えば励起二量体形成）を緩和していると推定している。
即ち、本発明は以下の通りである。
【０００７】
＜１＞
下記一般式（１）で表される化合物を含む着色組成物。
【０００８】
【化１】
2017179087.tif 000002
【０００９】
一般式（１）中、
Ｒ１０１及びＲ１０２は各々独立に水素原子、置換若しくは無置換のアルキル基、置換若しくは無置換のアリール基、又は置換若しくは無置換のヘテロ環基を表す。
Ｒ１０１及びＲ１０２が共に水素原子を表す場合はない。
Ｒ１０１及びＲ１０２は互いに結合して環を形成してもよい。
Ｒ１０３及びＲ１０５は各々独立に水素原子、置換若しくは無置換のアルキル基、置換若しくは無置換のアリール基、又は置換若しくは無置換のヘテロ環基を表す。
Ｒ１０４及びＲ１０６は各々独立に置換若しくは無置換のアリール基、又は置換若しくは無置換のヘテロ環基を表す。
Ｒ１０７、Ｒ１０８及びＲ１０９は各々独立に、ハロゲン原子、置換若しくは無置換のアルキル基、置換若しくは無置換のアリール基、又は置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基を表す。
Ｒ１０７及びＲ１０８は互いに結合して環を形成してもよいが、酸素原子を介して結合する場合はない。
ｎ１０７、ｎ１０８及びｎ１０９は各々独立に、０〜４の整数を表す。
一般式（１）で表される化合物は少なくとも１つのスルホ基を有する。
一般式（１）で表される化合物は分子内に対アニオンを有する。
＜２＞
上記Ｒ１０４及びＲ１０６は各々独立に置換若しくは無置換のアリール基を表す＜１＞に記載の着色組成物。
＜３＞
上記一般式（１）で表される化合物が下記一般式（２）で表される化合物である＜１＞又は＜２＞に記載の着色組成物。
【００１０】
【化２】
2017179087.tif 000003
【００１１】
一般式（２）中、Ｒ１０１及びＲ１０２は各々独立に水素原子、置換若しくは無置換のアルキル基、置換若しくは無置換のアリール基、又は置換若しくは無置換のヘテロ環基を表す。
Ｒ１０１及びＲ１０２が共に水素原子を表す場合はない。
Ｒ１０１及びＲ１０２は互いに結合して環を形成してもよい。
Ｒ１０３及びＲ１０５は各々独立に水素原子、置換若しくは無置換のアルキル基、置換若しくは無置換のアリール基、又は置換若しくは無置換のヘテロ環基を表す。
Ｒ１０７、Ｒ１０８及びＲ１０９は各々独立に、ハロゲン原子、置換若しくは無置換のアルキル基、置換若しくは無置換のアリール基、又は置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基を表す。
Ｒ１０７及びＲ１０８は互いに結合して環を形成してもよいが、酸素原子を介して結合する場合はない。
Ｒ５０１、Ｒ５０２、Ｒ５０３、Ｒ５０４、Ｒ５０５、Ｒ５０６、Ｒ５０７、Ｒ５０８、Ｒ５０９、Ｒ５１０は各々独立に水素原子又は置換基を表す。
ｎ１０７、ｎ１０８及びｎ１０９は各々独立に０〜４の整数を表す。
一般式（２）で表される化合物は少なくとも１つのスルホ基を有する。
一般式（２）で表される化合物は分子内に対アニオンを有する。
＜４＞
上記Ｒ１０１及びＲ１０２の少なくとも一方が、置換若しくは無置換の２級アルキル基又は置換若しくは無置換の３級アルキル基を表す、＜１＞〜＜３＞のいずれか１項に記載の着色組成物。
＜５＞
上記Ｒ５０１、Ｒ５０３、Ｒ５０５、Ｒ５０６、Ｒ５０８、及びＲ５１０は各々独立に水素原子、置換若しくは無置換のアルキル基、置換若しくは無置換のアリール基、又は置換若しくは無置換のヘテロ環基を表す、＜３＞に記載の着色組成物。
＜６＞
上記Ｒ５０１、Ｒ５０３、Ｒ５０５、Ｒ５０６、Ｒ５０８、及びＲ５１０は各々独立に置換若しくは無置換のアルキル基、置換若しくは無置換のアリール基を表す、＜３＞又は＜５＞に記載の着色組成物。
＜７＞
上記Ｒ５０１、Ｒ５０３、Ｒ５０５、Ｒ５０６、Ｒ５０８、及びＲ５１０は各々独立に置換若しくは無置換のアルキル基を表す、＜３＞、＜５＞又は＜６＞に記載の着色組成物。
＜８＞
染色用である、＜１＞〜＜７＞のいずれか１項に記載の着色組成物。
＜９＞
＜１＞〜＜８＞のいずれか１項に記載の着色組成物を含有するインクジェット用インク。
＜１０＞
＜９＞に記載のインクジェット用インクを用いて、インクジェット法により布帛を捺染する捺染方法。
＜１１＞
＜８＞に記載の着色組成物によって染色された布帛。
【発明の効果】
【００１２】
本発明によれば、耐光性に優れた化合物、上記化合物を含有する着色組成物、上記着色組成物を含有するインクジェット用インク、捺染方法、及び染色された布帛を提供することができる。
【発明を実施するための形態】
【００１３】
以下、本発明を詳細に説明する。
まず、本発明における置換基の具体例を、置換基群Ａとして定義する。
【００１４】
（置換基群Ａ）
ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００１５】
ハロゲン原子としては、例えば、フッ素原子、塩素原子、臭素原子、又はヨウ素原子が挙げられる。
【００１６】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。
アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００１７】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００１８】
アルケニル基としては、直鎖、分岐、環状の置換若しくは無置換のアルケニル基が挙げられ、シクロアルケニル基、ビシクロアルケニル基を包含する。
アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００１９】
アルキニル基としては、好ましくは、炭素数２から３０の置換又は無置換のアルキニル基、例えば、エチニル基、プロパルギル基、トリメチルシリルエチニル基等が挙げられる。
【００２０】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００２１】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。非芳香族のヘテロ環基の例としては、モルホリニル基等が挙げられる。
【００２２】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００２３】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００２４】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００２５】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００２６】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００２７】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００２８】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００２９】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００３０】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００３１】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００３２】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００３３】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００３４】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００３５】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００３６】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００３７】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００３８】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００３９】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等が挙げられる。
【００４０】
アルキル又はアリールスルフィニル基としては、好ましくは、炭素数１から３０の置換又は無置換のアルキルスルフィニル基、炭素数６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００４１】
アルキル又はアリールスルホニル基としては、好ましくは、炭素数１から３０の置換又は無置換のアルキルスルホニル基、炭素数６から３０の置換又は無置換のアリールスルホニル基、例えば、メチルスルホニル基、エチルスルホニル基、フェニルスルホニル基、ｐ−メチルフェニルスルホニル基等が挙げられる。
【００４２】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４３】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００４４】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００４５】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００４６】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ基、ｐ−クロロフェニルアゾ基、５−エチルチオ−１，３，４−チアジアゾール−２−イルアゾ基等が挙げられる。
【００４７】
イミド基としては、好ましくは、Ｎ−スクシンイミド基、Ｎ−フタルイミド基等が挙げられる。
【００４８】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００４９】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００５０】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００５１】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００５２】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００５３】
イオン性親水性基としては、スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またイオン性親水性基はカチオン又はアニオンを含む状態（「塩の状態」ともいう）であってもよい。たとえば、カルボキシル基、ホスホノ基及びスルホ基は、カチオンを含む状態であってもよく、塩の状態を形成するカチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウムイオン、ナトリウムイオン、カリウムイオン、アンモニウムイオンが好ましく、リチウムイオン又はナトリウムイオンがより好ましい。
【００５４】
なお、本発明においては、化合物が塩である場合は、水溶性インク中では塩はイオンに解離して存在している。
【００５５】
〔一般式（１）で表される化合物〕
【００５６】
【化３】
2017179087.tif 000004
【００５７】
一般式（１）中、
Ｒ１０１及びＲ１０２は各々独立に水素原子、置換若しくは無置換のアルキル基、置換若しくは無置換のアリール基、又は置換若しくは無置換のヘテロ環基を表す。
Ｒ１０１及びＲ１０２が共に水素原子を表す場合はない。
Ｒ１０１及びＲ１０２は互いに結合して環を形成してもよい。
Ｒ１０３及びＲ１０５は各々独立に水素原子、置換若しくは無置換のアルキル基、置換若しくは無置換のアリール基、又は置換若しくは無置換のヘテロ環基を表す。
Ｒ１０４及びＲ１０６は各々独立に置換若しくは無置換のアリール基、又は置換若しくは無置換のヘテロ環基を表す。
Ｒ１０７、Ｒ１０８及びＲ１０９は各々独立に、ハロゲン原子、置換若しくは無置換のアルキル基、置換若しくは無置換のアリール基、又は置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基を表す。
Ｒ１０７及びＲ１０８は互いに結合して環を形成してもよいが、酸素原子を介して結合する場合はない。
ｎ１０７、ｎ１０８及びｎ１０９は各々独立に、０〜４の整数を表す。
一般式（１）で表される化合物は少なくとも１つのスルホ基を有する。
一般式（１）で表される化合物は分子内に対アニオンを有する。
【００５８】
一般式（１）中のＲ１０１及びＲ１０２は各々独立に、水素原子、置換若しくは無置換のアルキル基、置換若しくは無置換のアリール基、又は置換若しくは無置換のヘテロ環基を表し、水素原子、置換若しくは無置換のアルキル基、又は置換若しくは無置換のアリール基であることが好ましく、水素原子、又は置換若しくは無置換のアルキル基であることがより好ましい。
Ｒ１０１、Ｒ１０２が置換若しくは無置換のアルキル基を表す場合、置換若しくは無置換の炭素数１〜１０のアルキル基が好ましく、置換若しくは無置換の炭素数１〜８のアルキル基がより好ましく、置換若しくは無置換の炭素数３〜８のアルキル基が更に好ましい。直鎖のアルキル基としては、メチル基、エチル基、プロピル基、ブチル基、ペンチル基、ヘキシル基、ヘプチル基、オクチル基、ノニル基、デシル基などが挙げられ、プロピル基、ブチル基、ペンチル基、ヘキシル基、ヘプチル基、オクチル基が好ましい。
Ｒ１０１及びＲ１０２の少なくとも一方が置換若しくは無置換の２級アルキル基又は置換若しくは無置換の３級アルキル基を表すことが好ましく、置換若しくは無置換の３級アルキル基を表すことがより好ましい。
【００５９】
なお、上記「２級アルキル基」とは、窒素原子と結合する炭素原子が、２つの炭素原子と結合する第２級炭素原子であるアルキル基を指し、上記「３級アルキル基」とは、窒素原子と結合する炭素原子が、３つの炭素原子と結合する第３級炭素原子であるアルキル基を指す。
上記２級アルキル基又は３級アルキル基としては、分岐状又は環状のアルキル基が挙げられる。
分岐状の２級アルキル基としては、イソプロピル基、ｓｅｃ−ブチル基、１−エチルプロピル基、１−メチルイソブチル基、１−メチルイソペンチル基、１−メチルオクチル基、１−エチル−３−メチルブチル基などが挙げられ、イソプロピル基、ｓｅｃ−ブチル基が好ましく、ｓｅｃ−ブチル基がより好ましい。
分岐状の３級アルキル基としては、ｔｅｒｔ−ブチル基、ｔｅｒｔ−ペンチル基、１，１−ジメチルブチル基、１，１−ジメチルペンチル基、１，１−ジメチルヘキシル基、１，１−ジメチルヘプチル基、１，１−ジメチルオクチル基、１−エチル−１−メチルプロピル基、１，１，３，３−テトラメチルブチル基などが挙げられ、ｔｅｒｔ−ブチル基、ｔｅｒｔ−ペンチル基、１，１，３，３−テトラメチルブチル基が好ましく、ｔｅｒｔ−ブチル基、１，１，３，３−テトラメチルブチル基がより好ましい。
【００６０】
環状の２級アルキル基としては、例えば、シクロプロピル基、シクロブチル基、シクロペンチル基、シクロヘキシル基、シクロヘプチル基、シクロオクチル基などが挙げられる。環状の２級アルキル基は、環員としてヘテロ原子を含むものであってもよく、例えば、下記一般式（Ｔ−６１１）で表される基などが挙げられる。
環状の２級アルキル基としては、シクロペンチル基、シクロヘキシル基、一般式（Ｔ−６１１）で表される基が好ましく、シクロヘキシル基が更に好ましい。
【００６１】
【化４】
2017179087.tif 000005
【００６２】
一般式（Ｔ−６１１）中、Ｒ２１４は水素原子、酸素ラジカル（−Ｏ・）、ヒドロキシ基、アルキル基又はアルコキシ基を表す。＊は窒素原子に結合する結合手を表す。
【００６３】
Ｒ２１４が表すアルキル基、アルコキシ基のアルキル基は、置換基を有していてもよい。各基が置換基を有する場合の置換基としては上記置換基群Ａから選ばれる置換基が挙げられる。
Ｒ２１４は、水素原子、又はアルキル基が好ましい。Ｒ２１４が表すアルキル基としては、炭素数１〜６のアルキル基が好ましく、炭素数１〜４がより好ましく、メチル基、エチル基、プロピル基、又はブチル基が更に好ましい。
【００６４】
環状の３級アルキル基としては、例えば、アダマンチル基、ノルボルナン基、テトラシクロドデカニル基、トリシクロデカニル基、ジアマンチル基などが挙げられ、アダマンチル基が好ましい。
一般式（１）中のＲ１０１及びＲ１０２が置換基を有する場合の置換基としては上記置換基群Ａから選ばれる置換基が挙げられ、ハロゲン原子、アルキル基、アリール基、ヘテロ環基、シアノ基、ヒドロキシル基、ニトロ基、アルコキシ基、アシルオキシ基、アミノ基、アシルアミノ基、スルファモイルアミノ基、アルキルスルホニルアミノ基、アリールスルホニルアミノ基、スルファモイル基、アルキルスルホニル基、アリールスルホニル基、アシル基、アルコキシカルボニル基、又はイオン性親水性基が好ましく、アルキル基、アリール基、ヒドロキシル基、ニトロ基、アシルオキシ基、アミノ基、アシルアミノ基、スルファモイルアミノ基、アルキルスルホニルアミノ基、アリールスルホニルアミノ基、スルファモイル基、又はイオン性親水性基がより好ましい。
【００６５】
Ｒ１０３及びＲ１０５は、水素原子、置換若しくは無置換のアルキル基、又は置換若しくは無置換のアリール基が好ましく、水素原子がより好ましい。
【００６６】
Ｒ１０３及びＲ１０５がアルキル基を表す場合のアルキル基としては、炭素数１〜６のアルキル基が好ましく、炭素数１〜３のアルキル基がより好ましく、メチル基又はエチル基が更に好ましい。
【００６７】
一般式（１）中のＲ１０３、及びＲ１０５が置換基を有する場合の置換基としては上記置換基群Ａから選ばれる置換基が挙げられ、ハロゲン原子、アルキル基、アリール基、ヘテロ環基、シアノ基、ヒドロキシル基、ニトロ基、アルコキシ基、アシルオキシ基、アミノ基、アシルアミノ基、スルファモイルアミノ基、アルキルスルホニルアミノ基、アリールスルホニルアミノ基、スルファモイル基、アルキルスルホニル基、アリールスルホニル基、アシル基、アルコキシカルボニル基、又はイオン性親水性基が好ましく、アルキル基、アリール基、ヒドロキシル基、ニトロ基、アルコキシ基、アシルオキシ基、アミノ基、アシルアミノ基、スルファモイルアミノ基、アルキルスルホニルアミノ基、アリールスルホニルアミノ基、スルファモイル基、又はイオン性親水性基がより好ましい。
【００６８】
Ｒ１０４及びＲ１０６は、置換又は無置換のアリール基が好ましい。
一般式（１）中のＲ１０４、及びＲ１０６が置換基を有する場合の置換基としては上記置換基群Ａから選ばれる置換基が挙げられ、ハロゲン原子、アルキル基、アリール基、ヘテロ環基、シアノ基、ヒドロキシル基、ニトロ基、アルコキシ基、アシルオキシ基、アミノ基、アシルアミノ基、スルファモイルアミノ基、アルキルスルホニルアミノ基、アリールスルホニルアミノ基、スルファモイル基、アルキルスルホニル基、アリールスルホニル基、アシル基、アルコキシカルボニル基、又はイオン性親水性基が好ましく、アルキル基、アリール基、ヒドロキシル基、ニトロ基、アルコキシ基、アシルオキシ基、アミノ基、アシルアミノ基、スルファモイルアミノ基、アルキルスルホニルアミノ基、アリールスルホニルアミノ基、スルファモイル基、又はイオン性親水性基がより好ましい。
【００６９】
Ｒ１０３、Ｒ１０４、Ｒ１０５及びＲ１０６がアリール基を表す場合のアリール基としては、フェニル基又はナフチル基が好ましく、フェニル基がより好ましい。Ｒ１０４及びＲ１０６がアリール基を表す場合、Ｒ１０３及びＲ１０５は水素原子を表すことが好ましい。
【００７０】
Ｒ１０７及びＲ１０８が表す置換基として、より好ましくは、置換基を有してもよいアルキル基、置換基を有してもよいアルコキシ基、置換基を有してもよいアリール基である。
Ｒ１０９が表す置換基として、より好ましくは、ニトロ基、置換基を有してもよいアミノ基、置換基を有してもよいアルコキシカルボニルアミノ基、置換基を有してもよいアシルアミノ基、置換基を有してもよいアリールカルボニルアミノ基、置換基を有してもよいアルキルスルホニルアミノ基、置換基を有してもよいアリールスルホニルアミノ基である。
Ｒ１０７、Ｒ１０８及びＲ１０９が表す置換基が更に置換基を有する場合の置換基としては、上記置換基群Ａから選ばれる置換基が挙げられ、アルキル基、ニトロ基、ヒドロキシル基、又は上記一般式（Ｔ−６１１）で表される基が好ましく、アルキル基、ニトロ基、ヒドロキシル基、又は上記一般式（Ｔ−６１１）で表される基がより好ましい。
【００７１】
ｎ１０７及びｎ１０８は好ましくは０〜２の整数を表す。ｎ１０９は好ましくは０又は１を表す。
【００７２】
なお、一般にトリフェニルメタン化合物は、イオン性の化合物であり共鳴構造をとるので、例えば一般式（１）においては、下記（Ａ）〜（Ｃ）は同じ化合物を表す。下記（Ａ）〜（Ｃ）において、Ｒ１０１〜Ｒ１０９、ｎ１０７、ｎ１０８及びｎ１０９は、それぞれ一般式（１）におけるＲ１０１〜Ｒ１０９、ｎ１０７、ｎ１０８及びｎ１０９と同義である。
【００７３】
【化５】
2017179087.tif 000006
【００７４】
一般式（１）で表される化合物は、下記一般式（２）で表される化合物であることが好ましい。
【００７５】
【化６】
2017179087.tif 000007
【００７６】
一般式（２）中、Ｒ１０１及びＲ１０２は各々独立に水素原子、置換若しくは無置換のアルキル基、置換若しくは無置換のアリール基、又は置換若しくは無置換のヘテロ環基を表す。
Ｒ１０１及びＲ１０２が共に水素原子を表す場合はない。
Ｒ１０１及びＲ１０２は互いに結合して環を形成してもよい。
Ｒ１０３及びＲ１０５は各々独立に水素原子、置換若しくは無置換のアルキル基、置換若しくは無置換のアリール基、又は置換若しくは無置換のヘテロ環基を表す。
Ｒ１０７、Ｒ１０８及びＲ１０９は各々独立に、ハロゲン原子、置換若しくは無置換のアルキル基、置換若しくは無置換のアリール基、又は置換若しくは無置換のヘテロ環基、シアノ基、ニトロ基、置換若しくは無置換のアルコキシ基、置換若しくは無置換のアシルオキシ基、置換若しくは無置換のカルバモイルオキシ基、置換若しくは無置換のアルコキシカルボニルオキシ基、置換若しくは無置換のアミノ基、置換若しくは無置換のアシルアミノ基、置換若しくは無置換のアミノカルボニルアミノ基、置換若しくは無置換のアリールカルボニルアミノ基、置換若しくは無置換のアルコキシカルボニルアミノ基、置換若しくは無置換のスルファモイルアミノ基、置換若しくは無置換のアルキルスルホニルアミノ基、置換若しくは無置換のアリールスルホニルアミノ基、置換若しくは無置換のアルキルチオ基、置換若しくは無置換のスルファモイル基、置換若しくは無置換のアルキルスルフィニル基、置換若しくは無置換のアルキルスルホニル基、アシル基、置換若しくは無置換のアルコキシカルボニル基、カルバモイル基、イミド基、スルホ基を表す。
Ｒ１０７及びＲ１０８は互いに結合して環を形成してもよいが、酸素原子を介して結合する場合はない。
Ｒ５０１、Ｒ５０２、Ｒ５０３、Ｒ５０４、Ｒ５０５、Ｒ５０６、Ｒ５０７、Ｒ５０８、Ｒ５０９、Ｒ５１０は各々独立に水素原子又は置換基を表す。
ｎ１０７、ｎ１０８及びｎ１０９は各々独立に０〜４の整数を表す。
一般式（２）で表される化合物は少なくとも１つのスルホ基を有する。
一般式（２）で表される化合物は分子内に対アニオンを有する。
【００７７】
一般式（２）中、Ｒ１０１、Ｒ１０２、Ｒ１０３、Ｒ１０５、Ｒ１０７、Ｒ１０８、及びＲ１０９の具体例及び好ましい範囲は、一般式（１）におけるＲ１０１、Ｒ１０２、Ｒ１０３、Ｒ１０５、Ｒ１０７、Ｒ１０８、及びＲ１０９の具体例及び好ましい範囲と同じである。
ｎ１０７、ｎ１０８及びｎ１０９の好ましい範囲は、一般式（１）におけるｎ１０７、ｎ１０８及びｎ１０９の好ましい範囲と同じである。
【００７８】
Ｒ５０１、Ｒ５０２、Ｒ５０３、Ｒ５０４、Ｒ５０５、Ｒ５０６、Ｒ５０７、Ｒ５０８、Ｒ５０９、及びＲ５１０は各々独立に水素原子又は置換基を表し、置換基としては上記置換基群Ａから選ばれる置換基が挙げられる。
Ｒ５０１、Ｒ５０２、Ｒ５０３、Ｒ５０４、Ｒ５０５、Ｒ５０６、Ｒ５０７、Ｒ５０８、Ｒ５０９、及びＲ５１０は各々独立に、水素原子、ハロゲン原子、置換若しくは無置換のアルキル基、置換若しくは無置換のアルコキシ基、置換若しくは無置換のアリール基、又は置換若しくは無置換のヘテロ環基、シアノ基、置換若しくは無置換のアリールスルホニルアミノ基、置換若しくは無置換のアルキルスルホニルアミノ基、置換若しくは無置換のアシルアミノ基、イオン性親水性基であることが好ましく、水素原子、イオン性親水性基、置換若しくは無置換のアルキル基、又は置換若しくは無置換のアリール基であることがより好ましく、水素原子、イオン性親水性基又は置換若しくは無置換のアルキル基であることが更に好ましい。
【００７９】
Ｒ５０１、Ｒ５０３、Ｒ５０５、Ｒ５０６、Ｒ５０８、Ｒ５１０がアルキル基を表す場合、炭素数１〜１０のアルキル基が好ましく、炭素数１〜８のアルキル基がより好ましく、炭素数１〜３のアルキル基が更に好ましい。直鎖のアルキル基としては、メチル基、エチル基、プロピル基、ブチル基、ペンチル基、ヘキシル基、ヘプチル基、オクチル基、ノニル基、デシル基などが挙げられ、メチル基、エチル基が好ましい。２級アルキル基としてはイソプロピル基が好ましい。
【００８０】
一般式（１）で表される化合物は、イオン性親水性基を少なくとも１つ有する。イオン性親水性基としては、アニオン性のイオン性親水性基（解離した場合にアニオンを生じるイオン性親水性基）であることが好ましく、スルホ基、カルボキシル基、チオカルボキシル基、スルフィノ基、ホスホノ基、ジヒドロキシホスフィノ基などが挙げられ、特に好ましくはスルホ基、又はカルボキシル基であり、最も好ましくはスルホ基である。一般式（１）で表される化合物中のイオン性親水性基の数は、１〜６個であることが好ましく、２〜４個であることがより好ましい。
【００８１】
一般式（１）で表される化合物は分子内に対アニオンを有する。一般式（１）が有するイオン性親水性基がアニオン性のイオン性親水性基であり、そのアニオン性のイオン性親水性基の１つが解離して生じたアニオンが上記対アニオンであることが好ましい。上記対アニオンは、スルホ基が解離して生じたスルホナト基（−ＳＯ３−）であることが特に好ましい。
【００８２】
以下、一般式（１）で表される染料化合物の具体例を示す。但し、本発明においては、これら具体例に制限されるものではない。Ｍｅはメチル基を表す。
【００８３】
【化７】
2017179087.tif 000008
【００８４】
【化８】
2017179087.tif 000009
【００８５】
【化９】
2017179087.tif 000010
【００８６】
【化１０】
2017179087.tif 000011
【００８７】
【化１１】
2017179087.tif 000012
【００８８】
【化１２】
2017179087.tif 000013
【００８９】
〔合成方法〕
一般式（１）又は（２）で表される化合物の合成方法につき説明する。
従来公知のトリアリールメタン染料の合成法に準じて合成できる。例えば、２モル当量のアニリン誘導体と１モル当量のベンズアルデヒド誘導体を縮合反応し、その後、酸化することで、一般式（１）で表される化合物を得ることができる。一般式（２）で表される化合物に関しては、予め置換基を導入したアニリン誘導体及び／又はベンズアルデヒド誘導体を縮合して同様に合成してもよいし、公知の合成法でトリアリールメタン化合物を合成した後に、付加反応などにより置換基を導入してもよい。後者の場合は市販のトリアリールメタン化合物を使用してもよい。
一般式（１）又は（２）で表される化合物の製造方法は、公知の製造方法で合成することができるため、上記の方法になんら限定されるわけではない。
【００９０】
一般式（１）で表される化合物の一般的合成方法：
【００９１】
【化１３】
2017179087.tif 000014
【００９２】
一般式（２）で表される化合物の一般的合成方法：
【００９３】
【化１４】
2017179087.tif 000015
【００９４】
〔着色組成物〕
本発明の着色組成物は、一般式（１）で表される化合物を含有する。
本発明の着色組成物は、一般式（１）で表される化合物を１種のみ含有してもよいし、２種以上含有してもよい。
本発明の着色組成物は、着色剤として、一般式（１）で表される化合物のみを含有するものであってもよいが、本発明の効果を損なわない範囲で、更に、他の着色剤を含有していてもよい。併用してもよい着色剤としては、公知のものが挙げられ、例えば、染色ノート（株式会社  色染社発行の第２４版  以下同様）３３頁〜１２１頁の染料、１２４頁〜１３０頁の顔料などが挙げられる。
【００９５】
着色組成物中の一般式（１）で表される化合物の含有量は、１〜２０質量％であることが好ましく、１〜１０質量％がより好ましい。着色組成物中に含まれる一般式（１）で表される化合物の含有量を１質量％以上にすることで、印刷したときの記録媒体上におけるインクの印画濃度を良好にでき、かつ必要とされる画像濃度を確保できる。また、着色組成物中に含まれる一般式（１）で表される化合物の合計量を２０質量％以下にすることで、インクジェット方法に用いた場合に着色組成物の吐出性を良好にでき、しかもインクジェットノズルが目詰まりしにくい等の効果が得られる。
【００９６】
本発明における着色組成物は、一般式（１）で表される化合物以外に、溶媒を含有することが好ましい。溶媒の種類及び含有量は、一般式（１）で表される化合物の種類、染める濃度、及び染色方法によって異なるが、着色組成物の全量に対して、溶媒を４０質量％以上含有することが好ましい。溶媒としては、水を含むことが好ましく、溶媒全量に対して、水を５０質量％以上含むことが好ましい。また、着色組成物の全量に対して、水を３０質量％以上含有することが好ましい。
【００９７】
本発明の着色組成物を印刷するための記録媒体としては、各種の布帛の他、紙、インク受容層などが塗工された塗工紙、プラスチックフィルムなどがあり、それぞれの記録媒体に対してインクジェット記録を行うに適したインクの開発も行われている。
本発明の着色組成物は、布帛に染色するための着色組成物（染色用着色組成物）、紙に印画するインクジェット記録用インク、カラートナー、カラーフィルター用レジストなどに使用することができるが、特に、布帛に染色するための着色組成物として適する。
【００９８】
〔染色用着色組成物、及び染色方法〕
本発明の染色用着色組成物は、繊維を染めるための着色組成物であることが好ましい。繊維の染色法は浸染法と捺染法に大別される。浸染とは、染料を溶媒に溶解又は分散した染料液に被染布又は被染糸を浸漬し、繊維表面に均一に吸着させ、染料を繊維内部に拡散し、結合によって染着を行う工程である。捺染とは、染料又は顔料を被染布上に塗布して模様の形を与え、染顔料を染着又は固着させることによって模様のある染色物をつくる染色法であり、単色又は多色を用いて被染布の上に模様効果を発現する。工業的には版を用いるスクリーン捺染、ローラー捺染、転写紙を用いる転写捺染、無製版のインクジェット捺染が行われている。
【００９９】
〔〔浸染用着色組成物、及びそれを用いた方法〕〕
浸染は、染料液に布帛又は糸を浸漬して染料を染着させる工程と、繊維に染着しない未固着の染料を洗い流す洗浄工程と、乾燥工程からなる。本発明の着色組成物を浸染で用いる場合には、上記着色組成物は、布帛又は糸を浸漬できる染色液として用いる。この場合、染色液としては、染料以外に、溶媒、均捺助剤、ｐＨ調整剤、無機中性塩、分散剤などを含有することができる。溶媒としては一般的に、水が用いられる。均捺助剤などの添加剤としては公知のものを使用できる。染料を高濃度で、均一に染めるには、添加剤使用する以外には、染料濃度、染浴ｐＨ、塩濃度、染色温度、染色時間、圧力、液流を制御することで調整できる。
洗浄工程では、一般に、常温から１００℃の範囲の水若しくは温水を使用する。洗浄する水は、ソーピング剤を含有してもよい。未固着の色材が完全に除去されていることで、種々の耐水性、例えば、洗濯堅牢性、耐汗堅牢性等において良好な結果が得られる。
乾燥工程では、具体的には、洗浄した布帛を絞ったり脱水した後、干したりあるいは乾燥機、ヒートロール、アイロン等を使用して乾燥させる。
【０１００】
〔〔スクリーン捺染、ローラー捺染、転写捺染用着色組成物、及びそれを用いた捺染方法〕〕
本発明の着色組成物をスクリーン捺染、ローラー捺染、又は転写捺染で用いる場合には、上記着色組成物は、版又は転写紙を介して布帛に印捺する色糊として用いる。
本発明の捺染方法は、少なくとも以下の下記（１）〜（４）の工程を含むことが好ましい。
（１）少なくとも高分子化合物及び水を含む液に対し、本発明の染色用着色組成物を添加し、色糊を調製する工程
（２）上記（１）の色糊を布帛に印捺する工程
（３）印捺した布帛に蒸気をあてる工程
（４）印捺した布帛を水洗し、水洗された布帛を乾燥する工程
色糊は、版に印捺するのに適した印捺適性と染着、水洗処理など捺染物に必要な捺染適性を満たすことが好ましい。
そのため、印捺適性、捺染適性を付与する目的で、色糊は、染料以外に、糊剤、溶媒、染色助剤などを含有することができる。
糊剤としては、着色組成物の媒体となるもので、水溶性高分子が用いられることが好ましい。水溶性高分子としては、デンプン類、海藻類、天然ガム類、セルロース誘導体、アルギン酸ナトリウム、タンパク質物質、タンニン系物質、リグニン系物質等の公知の天然水溶性高分子が挙げられる。また、ポリビニルアルコール系化合物、ポリエチレンオキサイド系化合物、アクリル酸系水性高分子、スチレン系水性高分子、無水マレイン酸系水性高分子等の公知の合成高分子も糊剤として用いられる。
溶媒としては、水溶性溶媒が好ましく用いられ、水を少なくとも含む溶媒を使用することが最も好ましい。
染色助剤としては、酸及びアルカリなどの発色剤、染料溶解剤、湿潤剤、吸湿剤、濃染剤、還元防止剤、金属イオン封止剤、紫外線吸収剤、分散剤、防染剤、抜染剤、防腐剤、防黴剤、酸化防止剤、マイグレーション防止剤、染料固着剤、消泡剤などが挙げられる。
色糊を調製する工程では、糊を溶媒に溶解又は分散した糊溶液に染色助剤を添加し、これに染料を溶媒に溶解又は分散した染料液を添加攪拌して色糊を調製することが好ましい。
【０１０１】
捺染方法では、浸染方法と異なり、布帛に上記色糊を印捺した（色糊を布帛に印捺する工程）後、布帛に印捺された色材を繊維に染着させる処理を行う。これを発色工程といい、加熱空気を用いる方法、常圧飽和蒸気、過熱蒸気を用いる方法があり、常圧飽和蒸気を用いる方法が好ましい。本発明では、印捺した布帛に蒸気をあてる工程を行うことが好ましい。印捺した布帛に蒸気をあてる工程において、蒸気で処理する温度、時間は、着色組成物の種類や布帛の種類によって異なるが、温度は９０℃〜１４０℃が好ましく、１００℃〜１０８℃がより好ましい。時間は１〜６０分が好ましく、１〜３０分がより好ましい。印捺した布帛に蒸気をあてる工程の後は、浸染と同様の、洗浄工程、乾燥工程を経て、捺染物を得る。本発明においては布帛はポリアミドを含むことが好ましい。
【０１０２】
〔〔インクジェット捺染用着色組成物、及びそれを用いた方法〕〕
本発明の着色組成物をインクジェット捺染で用いる場合には、上記着色組成物は、インクジェット捺染用インクとして用いることが好ましい。
「インクジェット用インク」はインクジェットノズルからインクを吐出して画像を形成する機構をもつ印刷機（インクジェットプリンタ）等に用いるインクである。インクジェット用インクの中でも、インクジェット法を用いた捺染に用いるインクをインクジェット捺染用インクと呼ぶ。
本発明のインクジェット捺染方法は、下記（１１）〜（１４）の工程を含むことが好ましい。
（１１）少なくとも高分子化合物及び水を含む糊を布帛に付与する工程
（１２）本発明のインクジェット用インクをインクジェット法により布帛に印捺する工程
（１３）印捺した布帛に蒸気をあてる工程
（１４）印捺した布帛を水洗、乾燥する工程
インクジェット捺染方法は、従来の捺染方法で使用している色糊を使用するとノズルを目詰まりを起こす傾向があるため、予め布帛に糊を付与しておく前処理工程（少なくとも高分子化合物及び水を含む糊を布帛に付与する工程）を行うことが好ましい。前処理工程を施すことで、布帛の取り扱いも容易になる。具体的には、糊剤、溶媒及びヒドロトロピー剤を含有する糊溶液を布帛に付着し、乾燥することで前処理した布帛が得られる。本発明においては布帛はポリアミドを含むことが好ましい。
糊剤としては、スクリーン捺染等で使用する糊剤と同様のものを使用することができる。溶媒としては、水溶性溶媒が好ましく用いられ、水を少なくとも含む溶媒を使用することが最も好ましい。
ヒドロトロピー剤は、一般に、インク組成物が付与された布帛が蒸気下で加熱される際に、画像の発色濃度を高める役割を果たす。例えば、通常、尿素、アルキル尿素、エチレン尿素、プロピレン尿素、チオ尿素、グアニジン酸塩、ハロゲン価テトラアルキルアンモニウム等が使用される。また、公知のものも使用でき、染色ノート４２６頁〜４２９頁記載の染料固着剤などが挙げられる。糊溶液の全固形分に対するヒドロトロピー剤の含有量は０．０１質量％〜２０質量％であることが好ましい。
糊溶液は、必要に応じて、ｐＨ調整剤、水性（水溶性）金属塩、撥水剤、界面活性剤、マイグレーション防止剤、ミクロポーラス形成剤等を更に含有していてもよい。
前処理においては、絞り率５％〜１５０％、好ましくは１０％〜１３０％の範囲で糊溶液をパッティングすることが好ましい。
前処理において、上記各糊溶液を布帛に含有させる方法は、特に制限されないが、通常行われる浸漬法、パッド法、コーティング法、スクリーン法、スプレー法、転写法、インクジェット法等を挙げることができる。
【０１０３】
次に、前処理した布帛に、インクジェット用インクを用いて、印捺する。
インクジェット捺染用インクは、親油性媒体や水性媒体中に上記一般式（１）で表される化合物を溶解及び／又は分散させることによって作製することができる。好ましくは、水性媒体を用いたインクである。そのため、インク適性、捺染適性、画像堅牢性を付与する目的で、インクジェット捺染インクは、染料以外に、溶媒、界面活性剤を含有することができる。
溶媒としては、用いられる一般式（１）で表される化合物における置換基の種類、着色組成物を製造するために用いる溶媒成分の種類、及び染色する布帛の種類等により決められるが、好ましくは、水性媒体、更に好ましくは、水、又は水溶性有機溶媒が用いられる。溶媒としては、親油性溶媒や水溶性溶媒を用いて、それらの中に、上記一般式（１）で表される化合物を溶解及び／又は分散させることによって作製することができる。
本発明のインクジェット捺染用インクが含有し得る有機溶媒は、水性有機溶媒であることが好ましく、例えば、ジエチレングリコール、グリセリン等の多価アルコール類のほか、アミン類、一価アルコール類、多価アルコールのアルキルエーテル類等が挙げられる。また、特開２００２−３７１０７９号公報の段落［００７６］に記載の水混和性有機溶剤の例示として挙げられる各化合物が好適である。
【０１０４】
本発明のインクジェット捺染用インク中の有機溶媒の含有量は、インクジェット捺染用インクの全質量に対して、１０質量％以上６０質量％以下であることが好ましい。
界面活性剤としては、陽イオン性、陰イオン性、両性、非イオン性のいずれの界面活性剤も用いることができる。また、本発明のインクジェット捺染用インクは、必要に応じてその他の添加剤を、本発明の効果を害しない範囲内において含有することができる。
一般式（１）で表される化合物を水性媒体に分散させる場合は、特開２０１４−５４６２公報〔０２３２〕〜〔０２３３〕記載の方法で分散できる。
本発明のインクジェット捺染用インクは、粘度が３０ｍＰａ・ｓ以下であるのが好ましい。また、その表面張力は２５ｍＮ／ｍ以上７０ｍＮ／ｍ以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
【０１０５】
インクジェット法により印捺した布帛は、乾燥後、他の捺染方法と同様に、発色工程、洗浄工程、乾燥工程を経て、捺染物を得る。発色工程〜乾燥工程の好ましい方法は、スクリーン捺染等と同様である。
【０１０６】
本発明で用いる布帛は、必要に応じて、予め処理されたものを使用してもよい。処理は、インクジェット捺染方法においては、糊剤を布帛に付着する前に行ってもよいし、後に行ってもよい。また、染色前に付着する糊溶液に前処理剤を添加して使用してもよい。
【０１０７】
本発明の着色組成物を用いてインクジェット捺染する方法としては、インクジェット装置を用いて布帛にインクを吐出する工程が含まれていれば限定しない。
【０１０８】
〔着色化合物の形態と染色する布帛〕
本発明の着色組成物が含有する上記一般式（１）で表される化合物は、染料として布帛を染色することができる。一般式（１）で表される化合物の置換基の種類を変更することによって、様々な種類の染料を用意することができる。一般式（１）で表される化合物が、スルホ基又はカルボキシル基といった酸性基を少なくとも１つ含有する場合は、酸性染料として、絹や羊毛などの蛋白繊維、６ナイロン、６６ナイロンなどのポリアミド繊維を染めることができる。一般式（１）で表される化合物が、アミノ基などの塩基性基を少なくとも１つ含有する場合には、カチオン染料として、アクリル繊維を染めることができる。一般式（１）で表される化合物が、繊維と反応する基を少なくとも１つ含有する場合には、反応染料として、綿などのセルロース繊維及びポリアミド繊維を染めることができる。繊維と反応する基としては、具体的には、クロロトリアジニル基、クロロピリミジル基、ビニルスルホニル基、クロロエチルスルホニル基、スルファトエチルスルホニル基、チオスルファトエチルスルホニル基が挙げられる。
【０１０９】
布帛としては、１種類の繊維からなる布帛を使用してもよいし、２種類以上の繊維からなる複合繊維を使用してもよい。
【０１１０】
一般式（１）で表される化合物は、酸性染料であることが好ましく、特に、ポリアミド繊維を染色したときに、顕著に、高い染着性を有し、かつ、耐光性、耐水性、耐塩素性などの諸性能が改善できる。
【０１１１】
被染布としての好ましいポリアミド繊維としては、ポリアミド繊維を含有していればよく、ポリアミド単独からなる布帛でもよいし、複合繊維からなる布帛でもよい。複合繊維としては、特開２００８−２０２２１０、特開２００６−３２２１３１、特開２００７−１００２７０公報など記載の繊維が挙げられる。ポリアミド繊維の中でも、６ナイロン、６６ナイロンを含む繊維であることが好ましい。
使用される繊維としては、布帛が好ましいが、糸を染めても同様の効果が得られる。
【実施例】
【０１１２】
以下、実施例を示して本発明を詳しく説明するが、本発明はこれらの実施例に何ら限定されるものではない。例中の「％」及び「部」は、特記ない限り、質量％及び質量部である。
【０１１３】
〔合成例〕
（化合物１の合成）
【０１１４】
【化１５】
2017179087.tif 000016
【０１１５】
フラスコに２，４，６−トリメチルアニリンを１６．３ｇ、２−イソプロピルブロモアニリンを２０．０ｇ、ｔｅｒｔ−ブトキシナトリムを１９．３ｇ、トルエンを１５０ｍＬ加えて、窒素雰囲気下２０℃で１時間撹拌した。ここに、酢酸パラジウムを４５．１ｍｇ、１，３−ビス（２，６−ジイソプロピルフェニル）イミダゾリニウムクロリド１７１ｍｇを加えた後、１１０℃で６時間撹拌し反応液を得た。得られた反応液を２０℃まで冷却した後、酢酸エチルを加え、中間体００１−１を酢酸エチルで抽出した。得られた酢酸エチル相をエバポレーターで減圧濃縮した。得られた残渣を、カラムクロマトグラフィー（充填剤：シリカゲル、展開液：ｎ−ヘキサン／酢酸エチル（１０／１））にて精製することで、中間体１−１を２０．４ｇ得た。この操作を２回繰り返した。
フラスコに中間体１−１を３０．７ｇ、２−ホルミルベンゼン−１−スルホン酸ナトリウム１２．０ｇ、メタンスルホン酸１８０ｍＬをフラスコにいれ１００℃で６時間撹拌し反応液を得た。得られた反応液を３Ｌの氷水に注ぎ、得られた中間体１−２の結晶をろ取した（３９．８ｇ）。
【０１１６】
フラスコに中間体１−２を３９．８ｇ、クロラニルを２１．１ｇ、メタノール２００ｍＬを混合し、１００℃で４時間撹拌し反応液を得た。２０℃に戻して、得られた反応液を２．７Ｌの氷水に注ぎ、得られた中間体１−３の結晶をろ取した（３０．７ｇ）。
フラスコに中間体１−３を２０．０ｇ、アセトニトリルを２０ｍＬ、ジメチルホルムアミドを８．０ｍＬ加えて、窒素雰囲気下２０℃で塩化ホスホリル２０．５ｇを１時間かけて滴下した後、８０℃で４時間撹拌し反応液を得た。得られた反応液を２０℃に戻して、２００ｍＬの氷水に注いで１時間撹拌した後、得られた中間体１−４の結晶をろ取した（２０．６ｇ）。  
【０１１７】
フラスコに中間体１−４を２０．０ｇ、塩化メチレン６０ｍＬ、トリエチルアミンを８．４ｇ、２−エチルヘキシルアミンを５．４ｇ加えた後、２０℃で１時間撹拌し反応液を得た。得られた反応液にエタノール１００ｍＬを添加した後、得られた中間体１−５の結晶をろ取した（２０．３ｇ）。
フラスコに中間体１−５を５．０ｇ、硫酸を２０ｍＬ加えて、冷却しながら撹拌した。ここへ２５％発煙硫酸１５ｍＬを内温が５℃を超えぬよう２時間かけて滴下した。滴下後３０分間、内温を５℃以下で撹拌した後、反応液を氷２００ｇに注いで析出した結晶をろ取した。得られたウェット結晶を２００ｍＬのメタノールに溶かして、１ｍｏｌ／Ｌナトリウムメトキシド／メタノール溶液にてｐＨ６まで中和した後、カラムクロマトグラフィー（充填剤：セファデックス、展開液：メタノール）にて精製することで、化合物１を２．６ｇ得た。化合物１の溶液吸収スペクトル：λｍａｘ＝６１６ｎｍ（水溶液）。ＥＳＩ（Ｅｌｅｃｔｒｏｓｐｒａｙ  ｉｏｎｉｚａｔｉｏｎ）−マススペクトル（Ｐｏｓｉ）：９４４．４（Ｍ−Ｎａ＋２Ｈ）。
【０１１８】
（化合物２の合成）
【０１１９】
【化１６】
2017179087.tif 000017
【０１２０】
化合物１の合成において、２，４，６−トリメチルアニリンを２−アミノピリジンへ、２−イソプロピルブロモアニリンを２−ブロモトルエンへ換えて、同様の合成を行うことで、中間体２−４を得た。
フラスコにジメチルアセトアミドを５．０ｍＬ、水素化ナトリウム（６０％、流動パラフィンに分散）を０．３４ｇ加えて、冷却しながら撹拌した。ここへアニリン−２，４−ジスルホン酸ニナトリウム２．５ｇを内温が５℃を超えぬよう２０分かけて添加した。内温を５℃以下で３０分間撹拌した後、１．０ｇの中間体２−４を内温が５℃を超えぬよう２０分かけて添加した。添加後３０分間、内温を５℃以下で撹拌した後、反応液を氷４０ｇに注いで析出した結晶をろ取した。得られたウェット結晶を４０ｍＬのメタノールに溶かして、１ｍｏｌ／Ｌナトリウムメトキシド／メタノール溶液にてｐＨ６まで中和した後、カラムクロマトグラフィー（充填剤：セファデックス、展開液：メタノール）にて精製することで、化合物２を０．５５ｇ得た。化合物２の溶液吸収スペクトル：λｍａｘ＝６３２ｎｍ（水溶液）。ＥＳＩ−マススペクトル（Ｐｏｓｉ）：７７０．１（Ｍ−Ｎａ＋２Ｈ）。
【０１２１】
（化合物３の合成）
【０１２２】
【化１７】
2017179087.tif 000018
【０１２３】
化合物２の合成において、２−アミノピリジンを２，６−ジメチルアニリンへ、２−ブロモトルエンを２−イソプロピルブロモアニリンへ、アニリン−２，４−ジスルホン酸ニナトリウムを２−アミノピリジンへ換えて、同様の合成を行うことで、中間体３−５を得た。
フラスコに中間体３−５を３．０ｇ、硫酸を１２ｍＬに加えて、冷却しながら撹拌した。ここへ２５％発煙硫酸９．０ｍＬを内温が５℃を超えぬよう２時間かけて滴下した。滴下後３０分間、内温を５℃以下で撹拌した後、反応液を氷１２０ｇに注いで析出した結晶をろ取した。得られたウェット結晶を１２０ｍＬのメタノールに溶かして、１ｍｏｌ／Ｌナトリウムメトキシド／メタノール溶液にてｐＨ６まで中和した後、カラムクロマトグラフィー（充填剤：セファデックス、展開液：メタノール）にて精製することで、化合物３を１．３ｇ得た。化合物３の溶液吸収スペクトル：λｍａｘ＝６２４ｎｍ（水溶液）。ＥＳＩ−マススペクトル（Ｐｏｓｉ）：８８１．３（Ｍ−Ｎａ＋２Ｈ）。
【０１２４】
（化合物４の合成）
【０１２５】
【化１８】
2017179087.tif 000019
【０１２６】
化合物１の合成において、２，４，６−トリメチルアニリンを２−メチルアニリンへ、２−イソプロピルブロモアニリンを２−ブロモトルエンへ、２−エチルヘキシルアミンをジシクロヘキシルアミンへ換えて、同様の合成を行うことで、化合物４を得た。化合物４の溶液吸収スペクトル：λｍａｘ＝６２８ｎｍ（水溶液）。ＥＳＩ−マススペクトル（Ｐｏｓｉ）：９４０．４（Ｍ−Ｎａ＋２Ｈ）。
【０１２７】
（化合物５の合成）
【０１２８】
【化１９】
2017179087.tif 000020
【０１２９】
化合物４の合成において、２−メチルアニリンを２，６−ジクロロアニリンへ換えて、同様の合成を行うことで、化合物５を得た。化合物５の溶液吸収スペクトル：λｍａｘ＝６２７ｎｍ（水溶液）。ＥＳＩ−マススペクトル（Ｐｏｓｉ）：１０４８．２（Ｍ−Ｎａ＋２Ｈ）。
【０１３０】
（化合物６の合成）
【０１３１】
【化２０】
2017179087.tif 000021
【０１３２】
化合物１の合成において、２−エチルヘキシルアミンをジシクロペンチルアミンへ、２−ホルミルベンゼン−１−スルホン酸ナトリウムを２−ホルミル−４−アミノベンゼン−１−スルホン酸ナトリウムへ換えて、同様の合成を行うことで、中間体６−６を得た。
フラスコに中間体６−６を５．０ｇ、Ｎ−メチルピロリドンを５０ｍＬ、トリエチルアミンを１．５ｇ、クロロギ酸４−ニトロベンジルを２．２ｇ加えた後、２０℃で１時間撹拌した。得られた反応液を酢酸エチル２００ｍＬに滴下した後、得られた中間体００１−４の結晶をろ取した。得られた結晶を５０ｍＬのメタノールに溶かして、カラムクロマトグラフィー（充填剤：セファデックス、展開液：メタノール）にて精製することで、化合物６を５．１ｇ得た。化合物６の溶液吸収スペクトル：λｍａｘ＝６２４ｎｍ（水溶液）。ＥＳＩ−マススペクトル（Ｐｏｓｉ）：１１６２．４（Ｍ−Ｎａ＋２Ｈ）。
【０１３３】
（化合物７の合成）
【０１３４】
【化２１】
2017179087.tif 000022
【０１３５】
化合物１の合成において、２，４，６−トリメチルアニリンを２−アミノベンゾニトリルへ、２−エチルヘキシルアミンを２，２’−（（６−（（４−アミノシクロヘキシル）アミノ）−１，３，５−トリアジン−２，４−ジイル）ビス（アザンジイル））ジエタノールへ換えて、同様の合成を行うことで、化合物７を得た。化合物７の溶液吸収スペクトル：λｍａｘ＝６２５ｎｍ（水溶液）。ＥＳＩ−マススペクトル（Ｐｏｓｉ）：１０９２．４（Ｍ−Ｎａ＋２Ｈ）。
【０１３６】
（化合物８の合成）
【０１３７】
【化２２】
2017179087.tif 000023
【０１３８】
化合物１の合成において、２，４，６−トリメチルアニリンを２−アミノ安息香酸メチルへ、２−エチルヘキシルアミンをジエチルアミンへ換えて、同様の合成を行うことで、化合物８を得た。化合物８の溶液吸収スペクトル：λｍａｘ＝６２９ｎｍ（水溶液）。ＥＳＩ−マススペクトル（Ｐｏｓｉ）：９２０．３（Ｍ−Ｎａ＋２Ｈ）。
【０１３９】
（化合物９の合成）
【０１４０】
【化２３】
2017179087.tif 000024
【０１４１】
化合物８の合成において、２−アミノ安息香酸メチルをｏ−アニシジンへ換えて、同様の合成を行うことで、化合物９を得た。化合物９の溶液吸収スペクトル：λｍａｘ＝６２８ｎｍ（水溶液）。ＥＳＩ−マススペクトル（Ｐｏｓｉ）：８６５．１（Ｍ−Ｎａ＋２Ｈ）。
【０１４２】
（化合物１０の合成）
【０１４３】
【化２４】
2017179087.tif 000025
【０１４４】
化合物１の合成において、２，４，６−トリメチルアニリンを２，６−ジメチル−４−メトキシアニリンへ、２−エチルヘキシルアミンを２−（（４−（（４−（（４−アミノシクロヘキシル）メチル）シクロヘキシル）アミノ）−６−（ジメチルアミノ）−１，３，５−トリアジン−２−イル）アミノ）ベンゼン−１，４−ジスルホン酸ナトリウム塩へ換えて、同様の合成を行うことで、化合物１０を得た。化合物１０の溶液吸収スペクトル：λｍａｘ＝６２５ｎｍ（水溶液）。ＥＳＩ−マススペクトル（Ｐｏｓｉ）：１４３０．５（Ｍ−３Ｎａ＋４Ｈ）。
【０１４５】
（化合物１１の合成）
【０１４６】
【化２５】
2017179087.tif 000026
【０１４７】
化合物１の合成において、２−イソプロピルブロモベンゼンを２−メトキシブロモベンゼンへ、２−ホルミルベンゼン−１−スルホン酸ナトリウムを２−ホルミル−４−ニトロベンゼン−１−スルホン酸ナトリウムへ、２−エチルヘキシルアミンをピペラジンへ換えて、同様の合成を行うことで、中間体１１−６を得た。
フラスコに中間体１１−６を５．０ｇ、Ｎ−メチルピロリドンを５０ｍＬ、トリエチルアミンを１．６ｇ、塩化アセチルを０．８３ｇ加えた後、２０℃で１時間撹拌した。得られた反応液を酢酸エチル２００ｍＬに滴下した後、得られた化合物１１の結晶をろ取した。得られた結晶を５０ｍＬのメタノールに溶かして、カラムクロマトグラフィー（充填剤：セファデックス、展開液：メタノール）にて精製することで、化合物１１を４．５ｇ得た。化合物１１の溶液吸収スペクトル：λｍａｘ＝６２４ｎｍ（水溶液）。ＥＳＩ−マススペクトル（Ｐｏｓｉ）：９６４．３（Ｍ−Ｎａ＋２Ｈ）。
【０１４８】
（化合物１２の合成）
【０１４９】
【化２６】
2017179087.tif 000027
【０１５０】
化合物６の合成において、２−イソプロピルブロモベンゼンを３−メトキシブロモベンゼンへ、ジシクロペンチルアミンをピペラジンへ、クロロギ酸４−ニトロベンジルを４−ニトロベンゾイルクロライドへ換えて、同様の合成を行うことで、化合物１２を得た。化合物１２の溶液吸収スペクトル：λｍａｘ＝６２４ｎｍ（水溶液）。ＥＳＩ−マススペクトル（Ｐｏｓｉ）：１１９０．３（Ｍ−Ｎａ＋２Ｈ）。
【０１５１】
（化合物１３の合成）
【０１５２】
【化２７】
2017179087.tif 000028
【０１５３】
化合物６の合成において、ジシクロペンチルアミンをジイソプロピルアミンへ、クロロギ酸４−ニトロベンジルを４−ニトロベンゼンスルホン酸クロライドへ、１ｍｏｌ／Ｌナトリウムメトキシド／メタノール溶液を１ｍｏｌ／Ｌリチウムメトキシド／メタノール溶液へ換えて、同様の合成を行うことで、化合物１３を得た。化合物１３の溶液吸収スペクトル：λｍａｘ＝６２３ｎｍ（水溶液）。ＥＳＩ−マススペクトル（Ｐｏｓｉ）：１１１６．４（Ｍ−Ｌｉ＋２Ｈ）。
【０１５４】
（化合物１４の合成）
【０１５５】
【化２８】
2017179087.tif 000029
【０１５６】
化合物１３の合成において、ジイソプロピルアミンを２，４，４−トリメチルペンタン−２−アミンへ、４−ニトロベンゼンスルホン酸クロライドを３，５−ジｔ−ブチル−４−ヒドロキシベンゾイルクロライドへ換えて、同様の合成を行うことで、化合物１４を得た。化合物１４の溶液吸収スペクトル：λｍａｘ＝６２４ｎｍ（水溶液）。ＥＳＩ−マススペクトル（Ｐｏｓｉ）：１１９１．６（Ｍ−Ｌｉ＋２Ｈ）。
【０１５７】
（化合物１５の合成）
【０１５８】
【化２９】
2017179087.tif 000030
【０１５９】
化合物１４の合成において、３，５−ジｔ−ブチル−４−ヒドロキシベンゾイルクロライドを３，５−ジｔ−ブチル−４−ヒドロキシベンゼンスルホン酸クロライドへ換えて、同様の合成を行うことで、化合物１５を得た。化合物１５の溶液吸収スペクトル：λｍａｘ＝６２５ｎｍ（水溶液）。ＥＳＩ−マススペクトル（Ｐｏｓｉ）：１２２７．５（Ｍ−Ｌｉ＋２Ｈ）。
【０１６０】
（化合物１６の合成）
【０１６１】
【化３０】
2017179087.tif 000031
【０１６２】
化合物１の合成において、２，４，６−トリメチルアニリンを２，６−ジイソプロピルアニリンへ、２−エチルヘキシルアミンをｔ−ブチルアミンへ換えて、同様の合成を行うことで、化合物１６を得た。化合物１６の溶液吸収スペクトル：λｍａｘ＝６２２ｎｍ（水溶液）。ＥＳＩ−マススペクトル（Ｐｏｓｉ）：９７２．４（Ｍ−Ｎａ＋２Ｈ）。
【０１６３】
（化合物１７の合成）
【０１６４】
【化３１】
2017179087.tif 000032
【０１６５】
化合物３の合成において、２，６−ジメチルアニリンを５−（Ｎ−（３−アミノ−２，４，６−トリメチルフェニル）スルファモイル）イソフタル酸ナトリウム塩へ、２−アミノピリジンを３−アミノ−２，４，６−トリメチルベンゼンスルホン酸ナトリウム塩へ換えて、同様の合成を行うことで、化合物１７を得た。化合物１７の溶液吸収スペクトル：λｍａｘ＝６２４ｎｍ（水溶液）。ＥＳＩ−マススペクトル（Ｐｏｓｉ）：１３５５．４（Ｍ−４Ｎａ＋５Ｈ）。
【０１６６】
（化合物１８の合成）
【０１６７】
【化３２】
2017179087.tif 000033
【０１６８】
化合物１７の合成において、５−（Ｎ−（３−アミノ−２，４，６−トリメチルフェニル）スルファモイル）イソフタル酸ナトリウム塩を５−（Ｎ−（３−アミノ−２，４，６−トリメチルフェニル）スルファモイル）−４−ヒドロキシイソフタル酸ナトリウム塩へ換えて、同様の合成を行うことで、化合物１８を得た。化合物１８の溶液吸収スペクトル：λｍａｘ＝６２５ｎｍ（水溶液）。ＥＳＩ−マススペクトル（Ｐｏｓｉ）：１３８８．４（Ｍ−４Ｎａ＋５Ｈ）。
【０１６９】
（化合物１９の合成）
【０１７０】
【化３３】
2017179087.tif 000034
【０１７１】
化合物６の合成において、クロロギ酸４−ニトロベンジルを５−（クロロスルファモイル）イソフタル酸ナトリウム塩へ換えて、同様の合成を行うことで、化合物１９を得た。化合物１９の溶液吸収スペクトル：λｍａｘ＝６２４ｎｍ（水溶液）。ＥＳＩ−マススペクトル（Ｐｏｓｉ）：１２１１．４（Ｍ−３Ｎａ＋４Ｈ）。
【０１７２】
（化合物２０の合成）
【０１７３】
【化３４】
2017179087.tif 000035
【０１７４】
化合物１９の合成において、５−（クロロスルファモイル）イソフタル酸ナトリウム塩を５−（クロロスルファモイル）−４−ヒドロキシイソフタル酸ナトリウム塩へ、ジシクロペンチルアミンをエチルイソプロピルアミンへ換えて、同様の合成を行うことで、化合物２０を得た。化合物２０の溶液吸収スペクトル：λｍａｘ＝６２４ｎｍ（水溶液）。ＥＳＩ−マススペクトル（Ｐｏｓｉ）：１１６１．３（Ｍ−３Ｎａ＋４Ｈ）。
【０１７５】
（化合物２１の合成）
【０１７６】
【化３５】
2017179087.tif 000036
【０１７７】
化合物２０の合成において、２，４，６−トリメチルアニリンを２，６−ジエチル−４−メチルアニリンへ換えて、同様の合成を行うことで、化合物２１を得た。化合物２１の溶液吸収スペクトル：λｍａｘ＝６２４ｎｍ（水溶液）。ＥＳＩ−マススペクトル（Ｐｏｓｉ）：１２１７．４（Ｍ−３Ｎａ＋４Ｈ）。
【０１７８】
（化合物２２の合成）
【０１７９】
【化３６】
2017179087.tif 000037
【０１８０】
２，６−ジメチルフェニルボロン酸を１５ｇ、２−ブロモアニリンを１７ｇ、ｔ−ブトキシカリウムを２８ｇ、１，４−ジオキサンを１００ｍＬ、水を１００ｍＬ、をフラスコに加えて、窒素雰囲気下で１時間撹拌した。ここに、トリス（ジベンジリデンアセトン）ジパラジウム（０）を０．９０ｇ、１，３−ビス（２，６−ジイソプロピルフェニル）イミダゾリニウムクロリド０．８５ｇを加えてた後、１００℃で１２時間撹拌した。反応液を２０℃まで冷却し、反応液を酢酸エチルで抽出した後、エバポレーターで減圧濃縮した。得られた残渣を、カラムクロマトグラフィー（充填剤：シリカゲル、展開液：ｎ−ヘキサン／酢酸エチル（１０／１））にて精製することで、中間体２２−１を１６ｇ得た。
化合物１の合成において、２，４，６−トリメチルアニリンを中間体２２−１へ、２−イソプロピルブロモベンゼンを２，４，６−トリメチルブロモベンゼンへ、２−ホルミルベンゼン−１−スルホン酸ナトリウムを２−ホルミル−５−（（２，２，６，６−テトラメチルピペリジン−４−イル）アミノ）ベンゼンスルホン酸ナトリウム塩へ、２−エチルヘキシルアミンをピペリジンへ換えて、同様の合成を行うことで、化合物２２を得た。化合物２２の溶液吸収スペクトル：λｍａｘ＝６２６ｎｍ（水溶液）。ＥＳＩ−マススペクトル（Ｐｏｓｉ）：１１７８．５（Ｍ−Ｎａ＋２Ｈ）。
【０１８１】
（化合物２３の合成）
【０１８２】
【化３７】
2017179087.tif 000038
【０１８３】
化合物２２の合成において、２，６−ジメチルフェニルボロン酸を２，４，６−トリメチルフェニルボロン酸へ、２−ホルミル−５−（（２，２，６，６−テトラメチルピペリジン−４−イル）アミノ）ベンゼンスルホン酸ナトリウム塩を２−ホルミルベンゼン−１−スルホン酸ナトリウムへ、ピペリジンを４−アミノ−２，２，６，６−テトラメチルピペリジンへ換えて、同様の合成を行うことで、化合物２３を得た。化合物２３の溶液吸収スペクトル：λｍａｘ＝６２７ｎｍ（水溶液）。ＥＳＩ−マススペクトル（Ｐｏｓｉ）：１１２３．５（Ｍ−Ｎａ＋２Ｈ）。
【０１８４】
（化合物２４の合成）
【０１８５】
【化３８】
2017179087.tif 000039
【０１８６】
化合物２３の合成において、４−アミノ−２，２，６，６−テトラメチルピペリジンを１−アダマンチルアミンへ換えて、同様の合成を行うことで、化合物２４を得た。化合物２４の溶液吸収スペクトル：λｍａｘ＝６２６ｎｍ（水溶液）。ＥＳＩ−マススペクトル（Ｐｏｓｉ）：１１１８．５（Ｍ−Ｎａ＋２Ｈ）。
【０１８７】
（化合物２５の合成）
【０１８８】
【化３９】
2017179087.tif 000040
【０１８９】
化合物２２の合成において、２，６−ジメチルフェニルボロン酸をシクロヘキシルボロン酸へ、２−ホルミル−５−（（２，２，６，６−テトラメチルピペリジン−４−イル）アミノ）ベンゼンスルホン酸ナトリウム塩を２−ホルミル−４−アミノベンゼン−１−スルホン酸ナトリウムへ、ピペリジンをジイソプロピルアミンへ換えて、同様の合成を行うことで、中間体２５−７を得た。
化合物６の合成において、中間体６−６を中間体２５−７へ、クロロギ酸４−ニトロベンジルを４−ニトロベンゾイルクロライドへ換えて、同様の合成を行うことで、化合物２５を得た。化合物２５の溶液吸収スペクトル：λｍａｘ＝６２５ｎｍ（水溶液）。ＥＳＩ−マススペクトル（Ｐｏｓｉ）：１１６０．５（Ｍ−Ｎａ＋２Ｈ）。
【０１９０】
（化合物２６の合成）
【０１９１】
【化４０】
2017179087.tif 000041
【０１９２】
化合物１の合成において、２，４，６−トリメチルアニリンをＮ−（３−アミノ−２，４，６−トリメチルフェニル）イソ酪酸アミドへ、２−エチルヘキシルアミンをｔ−ブチルアミンへ換えて、同様の合成を行うことで、化合物２６を得た。化合物２６の溶液吸収スペクトル：λｍａｘ＝６２４ｎｍ（水溶液）。ＥＳＩ−マススペクトル（Ｐｏｓｉ）：１０５８．４（Ｍ−Ｎａ＋２Ｈ）。
【０１９３】
（化合物２７の合成）
【０１９４】
【化４１】
2017179087.tif 000042
【０１９５】
化合物１の合成において、２，４，６−トリメチルアニリンをＮ−（３−アミノ−２，４，６−トリメチルフェニル）メタンスルホンアミドへ、２−エチルヘキシルアミンをピロリジンへ換えて、同様の合成を行うことで、化合物２７を得た。化合物２７の溶液吸収スペクトル：λｍａｘ＝６２４ｎｍ（水溶液）。ＥＳＩ−マススペクトル（Ｐｏｓｉ）：１０７２．３（Ｍ−Ｎａ＋２Ｈ）。
【０１９６】
（化合物２８の合成）
【０１９７】
【化４２】
2017179087.tif 000043
【０１９８】
化合物１の合成において、２，４，６−トリメチルアニリンを２，６−ジエチル−４−メチルアニリンへ、２−エチルヘキシルアミンをジシクロペンチルアミンへ換えて、同様の合成を行うことで、化合物２８を得た。化合物２８の溶液吸収スペクトル：λｍａｘ＝６２４ｎｍ（水溶液）。ＥＳＩ−マススペクトル（Ｐｏｓｉ）：１０７２．３（Ｍ−Ｎａ＋２Ｈ）。
【０１９９】
（化合物２９の合成）
【０２００】
【化４３】
2017179087.tif 000044
【０２０１】
化合物１の合成において、２，４，６−トリメチルアニリンを２，６−ジイソプロピルアニリンへ、２−エチルヘキシルアミンをＮ−メチルグリシンへ換えて、同様の合成を行うことで、化合物２９を得た。化合物２９の溶液吸収スペクトル：λｍａｘ＝６２３ｎｍ（水溶液）。ＥＳＩ−マススペクトル（Ｐｏｓｉ）：９８８．４（Ｍ−２Ｎａ＋３Ｈ）。
【０２０２】
（化合物３０の合成）
【０２０３】
【化４４】
2017179087.tif 000045
【０２０４】
化合物１の合成において、２，４，６−トリメチルアニリンを２，６−ジエチル−４−メチルアニリンへ、２−エチルヘキシルアミンをイミノ二酢酸へ換えて、同様の合成を行うことで、化合物３０を得た。化合物３０の溶液吸収スペクトル：λｍａｘ＝６２４ｎｍ（水溶液）。ＥＳＩ−マススペクトル（Ｐｏｓｉ）：１００４．４（Ｍ−３Ｎａ＋４Ｈ）。
【０２０５】
（化合物３１の合成）
【０２０６】
【化４５】
2017179087.tif 000046
【０２０７】
化合物１２の合成において、３−メトキシブロモベンゼンを２−イソプロピルブロモベンゼンへ、２−ホルミル−４−アミノベンゼン−１−スルホン酸ナトリウムを２−ホルミルベンゼン−１−スルホン酸ナトリウムへ、４−ニトロベンゾイルクロライドを３，５−ジｔ−ブチル−４−ヒドロキシベンゾイルクロライドへ換えて、同様の合成を行うことで、化合物３１を得た。化合物３１の溶液吸収スペクトル：λｍａｘ＝６２５ｎｍ（水溶液）。ＥＳＩ−マススペクトル（Ｐｏｓｉ）：１１３３．５（Ｍ−Ｎａ＋２Ｈ）。
【０２０８】
（化合物３２の合成）
【０２０９】
【化４６】
2017179087.tif 000047
【０２１０】
化合物３１の合成において、３，５−ジｔ−ブチル−４−ヒドロキシベンゾイルクロライドを３，５−ジｔ−ブチル−４−ヒドロキシベンゼンスルホン酸クロライドへ換えて、同様の合成を行うことで、化合物３２を得た。化合物３２の溶液吸収スペクトル：λｍａｘ＝６２４ｎｍ（水溶液）。ＥＳＩ−マススペクトル（Ｐｏｓｉ）：１１６９．５（Ｍ−Ｎａ＋２Ｈ）。
【０２１１】
（化合物３３の合成）
【０２１２】
【化４７】
2017179087.tif 000048
【０２１３】
化合物３１の合成において、３，５−ジｔ−ブチル−４−ヒドロキシベンゾイルクロライドを２，６−ジt-ブチル−４−（（４−（（３−（t-ブチル）−４−ヒドロキシ−５−イソプロピルフェニル）アミノ）−６−クロロ−１，３，５−トリアジン−２−イル）アミノ）フェノールへ換えて、同様の合成を行うことで、化合物３３を得た。化合物３３の溶液吸収スペクトル：λｍａｘ＝６２４ｎｍ（水溶液）。ＥＳＩ−マススペクトル（Ｐｏｓｉ）：１４１８．７（Ｍ−Ｎａ＋２Ｈ）。
【０２１４】
〔インクジェット捺染〕
インクジェット捺染においては、特開２０１３−２０９７８６号公報記載の方法に準じて行った。
【０２１５】
＜前処理工程＞
布帛であるナイロン６ジャージについて、以下に示す成分を混合して前処理剤Ａを調製した。得られた前処理剤Ａを用い、布帛を絞り率９０％としてパッティングして、自然乾燥させ、処理済み布帛を得た。
【０２１６】
（前処理剤Ａ）
・糊剤：グアーガム〔日晶株式会社製、ＭＥＹＰＲＯ  ＧＵＭ  ＮＰ〕
２ｇ
・ヒドロトロピー剤：尿素〔和光純薬社製〕                      ５ｇ
・ｐＨ調整剤：硫酸アンモニウム〔和光純薬社製〕                ４ｇ
・水                                                        ８９ｇ
【０２１７】
＜印捺工程＞
次いで、下記組成からなるインク組成物を、３０〜４０℃で加熱しながら１時間撹拌した。得られた液を平均孔径０．５μｍのミクロフィルターで減圧濾過しインクジェット用インクを調製した。
【０２１８】
（インクジェット用インクの組成）
・表１に示す染料                                            ５質量％
・グリセリン〔和光純薬社製〕（水性有機溶媒）              １０質量％
・ジエチレングリコール〔和光純薬社製〕（水性有機溶媒）    １０質量％
・オルフィンＥ１０１０〔日信化学社製〕（アセチレングリコール系界面活性剤）
１質量％
・水                                                      ７４質量％
【０２１９】
インクジェットプリンター（ディマティックス社製、ＤＭＰ−２３８１）に、得られた各インクジェット用インクをセットし、得られた前処理済み布帛にベタ画像を印捺した。
【０２２０】
＜後処理工程＞
印捺した布帛を乾燥した後、スチーム工程にて飽和蒸気中、１００℃で、３０分間スチームをかけ、染料を布帛の繊維に固着させた。その後、布帛を冷水で１０分、６０℃の温水で５分洗った後、自然乾燥した。染色した布帛は、色落ちすることなく、高濃度のシアンから青色に染まった染色物（染色サンプル）が得られた。
【０２２１】
〔耐光性評価〕
作製された染色サンプルに、「日本工業規格（ＪＩＳ）  Ｌ０８４２紫外線カーボンアーク灯光に対する染色堅ろう度試験方法」の第三露光法に基づき、耐光性試験を行った。紫外線カーボン灯光を染色された布帛に対して５時間照射した。紫外線カーボンアーク灯の照射前後において、各サンプルを分光濃度測定計（Ｘｒｉｔｅ社製、「Ｘ−ｒｉｔｅ９３８」）にてＣＩＥ  Ｌ＊ａ＊ｂ＊表色系（国際照明委員会規格（１９７６年）／又はＪＩＳ  Ｚ８７８１−４：２０１３）における明度Ｌ＊と色度ａ＊及びｂ＊を測定し、Ｌ＊ａ＊ｂ＊表色系における座標値Ｌ＊、ａ＊、ｂ＊の差であるΔＬ＊、Δａ＊、Δｂ＊によって定義される２つの試料間の色差として測定し、△Ｅａｂを求めた。値が小さいほど、光照射前後の挙動が小さく良好であることを示す。△Ｅａｂ  ３５以下を許容範囲とした。
色差ΔＥａｂ＝（△Ｌ＊２＋△ａ＊２＋△ｂ＊２）０．５
【０２２２】
【表１】
2017179087.tif 000049
【０２２３】
別途、布帛を、ナイロン６ジャージから、ナイロン６６ジャージ、ナイロン６タフタに変更して、同様に特開２０１３−２０９７８６号公報記載の方法に準じて、それぞれの布帛にインクジェット捺染を施したところ、水洗後も色落ちすることなく、高濃度に染まった染色物が得られ、耐光性も良好であった。
また、記録媒体を布帛から、普通紙に変更し、特開２０１３−４９７７６公報記載の方法に準じて、インクジェット印画し、評価したところ、優れた分光特性、耐光性を示し、紙用インクとしても優れた性質を示すことがわかった。
【０２２４】
【化４８】
2017179087.tif 000050